(57)【特許請求の範囲】
【請求項１】
吸込口と吹出口を有する筒状の筐体と、
上記筐体内に配置された送風ファンと、
上記筐体内かつ上記送風ファンの下流側に配置され、イオンを発生するためのイオン電極と、
上記筐体の上記吹出口側に、上記筐体の軸に略直交する平面に沿うように形成された互いに平行な複数の挿入制限部材と
を備え、
上記複数の挿入制限部材により上記吹出口に形成された開口部分からテストフィンガーが挿入されても上記テストフィンガーと上記イオン電極との間の絶縁距離が保たれるように、上記複数の挿入制限部材と上記イオン電極が上記筐体の軸方向に間隔をあけて配置されており、
上記筐体内かつ上記吹出口近傍の内周面に溝が設けられ、
上記溝内に上記イオン電極が配置されていることを特徴とするヘアケア装置。
【請求項２】
請求項１に記載のヘアケア装置において、
上記イオン電極は、プラスイオンを発生する第１のイオン電極と、マイナスイオンを発生する第２のイオン電極であり、
上記溝は、上記筐体の軸方向に沿って設けられ、上記第１のイオン電極が配置された第１の溝と、上記筐体の軸方向に沿って上記第１の溝と離間するように設けられ、上記第２のイオン電極が配置された第２の溝であることを特徴とするヘアケア装置。
【請求項３】
請求項１または２に記載のヘアケア装置において、
上記溝は、上流側から下流側に向かって底部が徐々に浅くなっていることを特徴とするヘアケア装置。
【請求項４】
請求項１から３までのいずれか１つに記載のヘアケア装置において、
上記イオン電極を有するイオン発生ユニットを備え、
上記筐体は、上記吸込口と上記吹出口を有する筒状の本体部と、上記本体部の上記吹出口近傍から上記吸込口側に向かって畝状に膨らむように設けられ、上記イオン発生ユニットが収容されたイオン発生ユニット収容部を有し、
上記本体部は、上記イオン発生ユニット収容部側から上記吸込口側に向かって徐々に拡径になるように形成され、
上記筐体の上記イオン発生ユニット収容部の上記吸込口側の近傍にくびれ部分が形成されていることを特徴とするヘアケア装置。
【発明の詳細な説明】
【技術分野】
【０００１】
この発明は、ヘアケア装置に関する。
【背景技術】
【０００２】
従来、ヘアケア装置としては、高圧放電が行われるイオン電極を備え、イオン電極に指が触れないように保護するために吹出口をメッシュで覆ったものがある(例えば、特開２００９−２３３３６６号公報(特許文献１)参照)。
【先行技術文献】
【特許文献】
【０００３】
【特許文献１】特開２００９−２３３３６６号公報
【発明の概要】
【発明が解決しようとする課題】
【０００４】
ところで、上記ヘアケア装置では、指が入らないようにメッシュの開口部が小さい形状になっているため、吹出口の開口率が悪くなって圧力損失が大きくなり、送風効率が低下するという問題がある。
【０００５】
そこで、この発明の課題は、簡単な構成で吹出口側の圧力損失を低減でき、送風効率を向上できるヘアケア装置を提供することにある。
【課題を解決するための手段】
【０００６】
【０００７】
この発明のヘアケア装置では、
吸込口と吹出口を有する筒状の筐体と、
上記筐体内に配置された送風ファンと、
上記筐体内かつ上記送風ファンの下流側に配置され、イオンを発生するためのイオン電極と、
上記筐体の上記吹出口側に、上記筐体の軸に略直交する平面に沿うように形成された互いに平行な複数の挿入制限部材と
を備え、
上記複数の挿入制限部材により上記吹出口に形成された開口部分からテストフィンガーが挿入されても上記テストフィンガーと上記イオン電極との間の絶縁距離が保たれるように、上記複数の挿入制限部材と上記イオン電極が上記筐体の軸方向に間隔をあけて配置されており、
上記筐体内かつ上記吹出口近傍の内周面に溝が設けられ、
上記溝内に上記イオン電極が配置されている。
【０００８】
また、一実施形態のヘアケア装置では、
上記イオン電極は、プラスイオンを発生する第１のイオン電極と、マイナスイオンを発生する第２のイオン電極であり、
上記溝は、上記筐体の軸方向に沿って設けられ、上記第１のイオン電極が配置された第１の溝と、上記筐体の軸方向に沿って上記第１の溝と離間するように設けられ、上記第２のイオン電極が配置された第２の溝である。
【０００９】
また、一実施形態のヘアケア装置では、
上記溝は、上流側から下流側に向かって底部が徐々に浅くなっている。
【００１０】
また、一実施形態のヘアケア装置では、
上記イオン電極を有するイオン発生ユニットを備え、
上記筐体は、上記吸込口と上記吹出口を有する筒状の本体部と、上記本体部の上記吹出口近傍から上記吸込口側に向かって畝状に膨らむように設けられ、上記イオン発生ユニットが収容されたイオン発生ユニット収容部を有し、
上記本体部は、上記イオン発生ユニット収容部側から上記吸込口側に向かって徐々に拡径になるように形成され、
上記筐体の上記イオン発生ユニット収容部の上記吸込口側の近傍にくびれ部分が形成されている。
【発明の効果】
【００１１】
以上より明らかなように、この発明によれば、筐体の吹出口側に、筐体の軸に直交する方向に延在する互いに平行な複数の挿入制限部材を設けることによって、簡単な構成で吹出口側の圧力損失を低減でき、送風効率を向上できるヘアケア装置を実現することができる。
【図面の簡単な説明】
【００１２】
【図１】図１はこの発明の第１実施形態のヘアケア装置の一例としてのヘアドライヤの断面図である。
【図２】図２は上記ヘアドライヤの斜視図である。
【図３】図３は上記ヘアドライヤの要部の拡大斜視図である。
【図４】図４は上記ヘアドライヤの吹出口側の要部の拡大断面図である。
【図５】図５は図２に示す直線Ａを通る断面を示すヘアドライヤの断面図である。
【図６】図６は上記ヘアドライヤを右手で持った状態を側方から見た側面図である。
【図７】図７は図６に示すヘアドライヤを吹出口側から見た図である。
【図８】図８は上記ヘアドライヤを右手で持った他の状態を側方から見た側面図である。
【図９】図９は図８に示すヘアドライヤを吹出口側から見た図である。
【図１０】図１０はノズルを取り付けたヘアドライヤの断面図である。
【図１１】図１１はこの発明の第２実施形態のヘアケア装置の一例としてのヘアドライヤの断面図である。
【発明を実施するための形態】
【００１３】
以下、この発明のヘアケア装置を図示の実施の形態により詳細に説明する。
【００１４】
〔第１実施形態〕
図１はこの発明の第１実施形態のヘアケア装置の一例としてのヘアドライヤの断面図を示している。
【００１５】
この第１実施形態のヘアドライヤは、図１に示すように、吸込口１１と吹出口１２を有する筒状の本体部１０ａと、本体部１０ａの吹出口１２側かつ下側に設けられたイオン発生ユニット収容部１０ｂと、本体部１０ａの下側から下方に向かって延びるハンドル１０ｃとを有するケーシング１０を備えている。上記本体部１０ａとイオン発生ユニット収容部１０ｂは、筐体の一例である。
【００１６】
このケーシング１０の本体部１０ａ内に、吸込口１１側から吹出口１２側に向けて順に、送風ファン２０と、モータ３０と、ヒータユニット４０と、イオン発生ユニット５０とを配置している。
【００１７】
上記本体部１０ａ内に、送風ファン２０が収納された円筒状のファンケース２１を取り付けている。また、ファンケース２１の後縁に連なり、吹出口１２に向かって徐々に径が細くなる円錐台形状の断熱スリーブ２２を本体部１０ａ内に取り付けている。
【００１８】
上記送風ファン２０は、円筒状のファンケース２１の内部に配置された軸流ファンである。また、上記送風ファン２０を回転駆動するモータ３０をファンケース２１に固定している。
【００１９】
上記ヒータユニット４０を断熱スリーブ２２の内部に配置している。このヒータユニット４０は、ヒータ４１と、ヒータ４１が取り付けられた絶縁性を有するヒータ基板４２とを有している。吹出口１２側から見た正面視において十字状に組まれたヒータ基板４２を断熱スリーブ２２に固定して、ヒータ４１が断熱スリーブ２２に接触しないようにしている。
【００２０】
上記ケーシング１０の本体部１０ａの吸込口１１にメッシュ状の吸込グリル６０を設けている。また、本体部１０ａ内の吹出口１２近傍に吹出グリル７０を設けている。この吹出グリル７０は、本体部１０ａの軸に直交する平面に沿うように形成された互いに平行な３つの板状の桟７０ａと、３つの板状の桟７０ａの両端を連結するリング部７０ｂとを有する。この板状の桟７０ａは、挿入制限部材の一例である。なお、挿入制限部材は、本体部１０ａの軸に直交する平面に沿ったものに限らず、本体部の軸に略直交する平面に沿うように形成されていればよく、本体部の軸に対して傾斜した平面に沿って形成されたものでもよい。
【００２１】
なお、挿入制限部材の一例である板状の桟７０ａの数は３つに限らず、吹出口１２の大きさなどに応じて適宜設定すればよい。
【００２２】
この吹出グリル７０は、金属製の円板をリング部７０ｂとなる部分を残して他の部分を切り起こしすることにより、板状の桟７０ａを形成している。
【００２３】
また、上記ハンドル１０ｃには、送風量を上げるターボ機能をオンオフするためのスイッチ１６と、電源のオンオフおよび熱風モード,冷風モード,除電冷風モード等の切り換えを行うためのスイッチ１７を設けている。このハンドル１０ｃの下端に電源コード１８が接続されている。
【００２４】
また、上記イオン発生ユニット収容部１０ｂは、本体部１０ａの吹出口１２側かつ下側に、畝状に膨らむように吹出口１２近傍から吸込口１１側に向かって設けられている。このイオン発生ユニット収容部１０ｂ内にイオン発生ユニット５０を収容している。上記イオン発生ユニット５０は、プラスイオンを発生する第１のイオン電極５１と、マイナスイオンを発生する第２のイオン電極５２(図２,図３に示す)を有している。
【００２５】
上記ケーシング１０の本体部１０ａを、イオン発生ユニット収容部１０ｂ側から吸込口１１側に向かって徐々に拡径になるように形成することによって、本体部１０ａのイオン発生ユニット収容部１０ｂの吸込口１１側の近傍(イオン発生ユニット収容部１０ｂとハンドル１０ｃとの間)にくびれ部分が形成されている。
【００２６】
また、図２はヘアドライヤの斜視図を示しており、図３は上記ヘアドライヤの要部の拡大斜視図を示している。図２,図３において、図１と同一の構成部には同一参照番号を付している。
【００２７】
図２,図３に示すように、本体部１０ａ内かつ吹出口１２近傍の内周面に、本体部１０ａの軸方向に沿って設けられた第１の溝５５に第１のイオン電極５１を配置している。また、本体部１０ａ内かつ吹出口１２近傍の内周面に、本体部１０ａの軸方向に沿って第１の溝５５と離間するように設けられた第２の溝５６に第２のイオン電極５２を配置している。
【００２８】
上記イオン発生ユニット５０は、プラスイオンおよびマイナスイオンを夫々発生する第１,第２のイオン電極５１,５２を有し、第１,第２のイオン電極５１,５２のうちの先端部(この実施形態では１ｍｍ)は、本体部１０ａの内側の流路に突出し、他の部分は第１,第２の溝５５,５６内にある。この第１のイオン電極５１によりプラスイオンを発生させ、第２のイオン電極５２によりマイナスイオンを発生させて、本体部１０ａ内の気流にプラスイオンおよびマイナスイオンがそれぞれ合流するようにしている。
【００２９】
例えば、第１のイオン電極５１に実効電圧２ｋＶ以上の電圧と、０Ｖとが切り替わる６０Ｈｚの交流が印加される一方、誘導電極(図示せず)には、０Ｖの直流が印加されるようになっている。第１のイオン電極５１に実効電圧２ｋＶ以上が印加されているときに誘導電極との間の電位差によるコロナ放電がおこり、第１のイオン電極５１の先端部近傍で空気中の水分子が電離して、水素イオン（Ｈ＋）が生成する。この水素イオンが空気中の水分子と群状態で結合（クラスタリング）し、Ｈ＋（Ｈ２Ｏ）ｍ（ｍは、任意の自然数）からなるプラスイオンが発生する。
【００３０】
一方、第２のイオン電極５２に実効電圧−２ｋＶ以下の電圧と、０Ｖとが切り替わる６０Ｈｚの交流が印加される一方、誘導電極(図示せず)には、０Ｖの直流が印加されるようになっており、マイナスイオンが発生するようになっている。このマイナスイオンは、空気中の酸素分子または水分子が電離してできる酸素イオンＯ２−である。この酸素イオンが空気中の水分子と結合（クラスタリング）してＯ２−（Ｈ２Ｏ）ｎ（ｎは、任意の自然数）からなる負イオンが発生する。
【００３１】
なお、第１,第２のイオン電極５１,５２は、左右方向に対して逆の位置に配置されていてもよい。また、第１,第２のイオン電極５１,５２を第１,第２の溝５５,５６に別々に配置したが、１つの溝に第１,第２のイオン電極５１,５２を配置してもよい。
【００３２】
また、図４は上記ヘアドライヤの吹出口１２側の要部の拡大断面図を示しており、図４において、図１と同一の構成部には同一参照番号を付している。この第１実施形態では、吹出グリル７０の３つの板状の桟７０ａ(挿入制限部材)で形成される開口部分の最大幅Ｌ１を１０ｍｍとし、板状の桟７０ａ(挿入制限部材)とイオン電極５１,５２との距離Ｌ２を３０ｍｍとしている(第２のイオン電極５２も同様)。なお、上記最大幅Ｌ１や距離Ｌ２は、ヘアドライヤの構成に応じて適宜設定する。
【００３３】
上記構成のヘアドライヤでは、本体部１０ａの吹出口１２側に設けられた複数の板状の桟７０ａ(挿入制限部材)により吹出口１２に形成された開口部分からテストフィンガーが挿入されてもテストフィンガーとイオン電極５１,５２との間の絶縁距離が保たれるように、吹出グリル７０の複数の板状の桟７０ａ(挿入制限部材)とイオン電極５１,５２を本体部１０ａの軸方向に間隔をあけて配置している。
【００３４】
これによって、吹出口１２の開口率を大きくすることが可能になり、吹出口１２側の圧力損失を低減することができ、送風効率を向上できる。
【００３５】
ここで、「テストフィンガー」は、Ｊ６０９５０に準拠しており、テストフィンガーとイオン電極５１,５２との距離は、ＪＩＳＣ６９５０規格に従って絶縁が保たれる距離に設定している。
【００３６】
なお、吹出口にメッシュを設けていた従来のヘアドライヤでは、開口率が７５％程度であったのに対して、この第１実施形態のヘアドライヤでは、開口率が９１％に増えて、送風効率が大幅に向上した。
【００３７】
上記本体部１０ａ内かつ吹出口１２近傍の内周面に設けられた第１,第２の溝５５,５６内に第１,第２のイオン電極５１,５２を配置することによって、ヒータユニット４０で加熱された熱風がイオン電極５１,５２の先端部を除いて直接当たらないので、イオン電極５１,５２が熱影響を受けにくくなって信頼性が向上する。
【００３８】
また、上記本体部１０ａの軸方向に沿って設けられた第１の溝５５に、プラスイオンを発生する第１のイオン電極５１を配置し、本体部１０ａの軸方向に沿って第１の溝５５と離間するように設けられた第２の溝５６に、マイナスイオンを発生する第２のイオン電極５２を配置することによって、第１のイオン電極５１で発生したプラスイオンと第２のイオン電極５２で発生したマイナスイオンが第１の溝５５と第２の溝５６を別々に流れて、吹出口１２から吹き出すので、本体部１０ａ内でプラスイオンとマイナスイオンが結合して中和されるのを防いで、吹出空気中のプラスイオンとマイナスイオンのイオン量の低下を抑えることができる。
【００３９】
また、上記ケーシング１０の筒状の本体部１０ａの吹出口１２近傍から吸込口１１側に向かって畝状に膨らむように、イオン発生ユニット５０が収容されたイオン発生ユニット収容部１０ｂを形成することによって、本体部１０ａ内にイオン発生ユニット５０(第１,第２のイオン電極５１,５２を除く)が配置されないので、本体部１０ａ内の気流がイオン発生ユニット５０によって乱れることなくスムーズに流れて吹出口１２から吹き出すので、イオン発生ユニット５０による圧力損失の増大を抑制できる。
【００４０】
図５は図２の直線Ａを通る断面を示すヘアドライヤの断面図である。図２において、直線Ａは本体部１０ａの軸方向に平行でかつ第１の溝５５内を通る。図５は、その直線Ａを通りかつ図１に示す断面に対して平行な平面に沿った断面を示している。
【００４１】
図５に示すように、本体部１０ａ内かつ吹出口１２近傍の内周面に設けられた第１の溝５５の底部５５ａが、上流側から下流側に向かって徐々に浅くなっている。また、図示しない第２の溝５６の底部(図示せず)も、第１の溝５５と同様に、上流側から下流側に向かって徐々に浅くなっている。
【００４２】
これにより、第１のイオン電極５１で発生したプラスイオンと第２のイオン電極５２(図２,図３に示す)で発生したマイナスイオンが第１の溝５５と第２の溝５６(図２,図３に示す)を別々に流れた後、スムーズに吹出口１２から空気流と共に吹き出すことができる。したがって、プラスイオンを含む空気流とマイナスイオンを含む空気流のそれぞれの到達距離が伸びて、性能が向上する。
【００４３】
図６は上記ヘアドライヤを右手で持った状態を側方から見た側面図を示しており、図７は図６に示すヘアドライヤを吹出口１２側から見た図を示している。図６,図７において、図１と同一の構成部には、同一参照番号を付している。
【００４４】
図６,図７に示すように、イオン発生ユニット収容部１０ｂ側から吸込口１１側に向かって徐々に外径が広がる形状として、ケーシング１０のイオン発生ユニット収容部１０ｂの吸込口１１側の近傍にくびれ部分を形成している。
【００４５】
これによって、ハンドル１０ｃを握ることなくケーシング１０のくびれ部分を手のひらのほぼ全体で確実に掴んでヘアドライヤを操作できると共に、くびれ部分を滑らかな形状にすることにより手になじみやすくして操作性を向上できる。
【００４６】
このようなヘアドライヤの持ち方は、熟練した技能を有する美容師などによく用いられる方法であり、ハンドルを持たなくてもバランスよく操作することが可能である。なお、図６〜図９では、右手でケーシング１０のくびれ部分を掴んだが左手で掴んでもよい。
【００４７】
また、図８は上記ヘアドライヤを右手で持った他の状態を側方から見た側面図を示しており、図９は図８に示すヘアドライヤを吹出口１２側から見た図を示している。図８,図９において、図１と同一の構成部には、同一参照番号を付している。
【００４８】
図８,図９では、図６,図７に示すヘアドライヤを持った状態が異なり、右手の親指がイオン発生ユニット収容部１０ｂ側の位置になるように、ケーシング１０のくびれ部分を手のひらのほぼ全体で掴んでいる。
【００４９】
この場合も、図６,図７に示すヘアドライヤを持った状態と同様の効果を有する。
【００５０】
上記第１実施形態では、ノズルを取り付けていないヘアドライヤについて説明したが、図１０に示すように、ノズル８０をケーシング１０の吹出口１２側に取り付けたヘアドライヤにこの発明を適用してもよい。なお、図１０では、図１に示すドライヤと同一の構成部には、同一参照番号を付している。
【００５１】
〔第２実施形態〕
図１１はこの発明の第２実施形態のヘアケア装置の一例としてのヘアドライヤの断面図を示している。この第２実施形態のヘアドライヤは、整流板を除いて第１実施形態のヘアドライヤと同一の構成をしており、同一構成部には同一参照番号を付して説明を省略する。
【００５２】
この第２実施形態のヘアドライヤは、図１１に示すように、本体部１０ａ内かつ吹出口１２近傍の内周面に、第１,第２の溝５５,５６(図１１では５５のみを示す)を仕切るように整流板１００を取り付けている。図１１では、図を見やすくするために整流板１００を点線で示している。この整流板１００は、吹出グリル７０の互いに平行な複数の板状の桟７０ａに対して直交し、かつ、本体部１０ａの軸を含む平面に沿うように設けている。
【００５３】
この整流板１００により、本体部１０ａ内の気流の乱れを抑制すると共に、第１,第２の溝５５,５６内の第１,第２のイオン電極５１,５２(図１１では５５のみを示す)により発生させたプラスイオンとマイナスイオンが本体部１０ａ内で結合するのを確実に防止することができる。
【００５４】
なお、ケーシング１０の本体部１０ａ内かつ吹出口１２近傍の内周面に、吹出グリル７０の互いに平行な複数の板状の桟７０ａに対して平行で、かつ、本体部１０ａの軸を含む平面に沿うように、第２の整流板を設けて、正面視において十字状に組まれた整流部材としてもよい。
【００５５】
〔第３実施形態〕
この発明の第３実施形態のヘアケア装置の一例としてのヘアドライヤは、第１,第２実施形態のヘアドライヤと異なるのは、ハンドルを有しない点である。
【００５６】
上記第１,第２実施形態では、ヘアケア装置として本体部１０ａの下側にハンドル１０ｃを設けたヘアドライヤについて説明したが、第３実施形態のヘアドライヤは、筒状の本体部とイオン発生ユニット収容部からなる筐体を備えている。
【００５７】
上記第３実施形態のヘアドライヤも、第１,第２実施形態のヘアドライヤと同様の効果を有する。
【００５８】
〔第４実施形態〕
この発明の第４実施形態のヘアケア装置は、第１〜第３実施形態と異なるのは、ヒータユニットを有しない点である。
【００５９】
上記第１〜第３実施形態では、ヘアケア装置としてヒータユニット４０を備えたヘアドライヤについて説明したが、第４実施形態のヘアケア装置は、ヒータユニットがなく、送風とイオンによるヘアケアに使用される。
【００６０】
上記第４実施形態のヘアケア装置も、第１,第２実施形態のヘアドライヤと同様の効果を有する。
【００６１】
なお、上記第１〜第４実施形態では、ヘアケア装置としてプラスイオンとマイナスイオンを発生するイオン発生ユニット５０を備えたヘアドライヤについて説明したが、プラスイオンまたはマイナスイオンの一方を発生するイオン発生ユニットを備えたヘアケア装置にこの発明を適用してもよい。
【００６２】
また、上記第１〜第４実施形態では、本体部１０ａの吹出口１２側に設けられた複数の板状の桟７０ａ(挿入制限部材)により吹出口１２に形成された開口部分からテストフィンガーが挿入されても、そのテストフィンガーとイオン電極５１,５２との間の絶縁距離が保たれるように、吹出グリル７０の複数の板状の桟７０ａ(挿入制限部材)とイオン電極５１,５２を本体部１０ａの軸方向に間隔をあけて配置したが、複数の挿入制限部材により形成された開口部分から所定のサイズの指先が挿入されても、その指先とイオン電極との間の絶縁距離が保たれるように、複数の挿入制限部材とイオン電極との間の軸方向の間隔を設定してもよく、複数の挿入制限部材とイオン電極との間の軸方向の間隔は、複数の挿入制限部材の配置などに応じて適宜設定してよい。
【００６３】
この発明の具体的な実施の形態について説明したが、この発明は上記第１〜第４実施形態に限定されるものではなく、この発明の範囲内で種々変更して実施することができる。
【００６４】
この発明および実施形態をまとめると、次のようになる。
【００６５】
この発明のヘアケア装置は、
吸込口１１と吹出口１２を有する筒状の筐体１０ａと、
上記筐体１０ａ内に配置された送風ファン２０と、
上記筐体１０ａ内かつ上記送風ファン２０の下流側に配置され、イオンを発生するためのイオン電極５１,５２と、
上記筐体１０ａの上記吹出口１２側に、上記筐体１０ａの軸に略直交する平面に沿うように形成された互いに平行な複数の挿入制限部材７０ａと
を備え、
上記複数の挿入制限部材７０ａにより上記吹出口１２に形成された開口部分からテストフィンガーが挿入されても上記テストフィンガーと上記イオン電極５１,５２との間の絶縁距離が保たれるように、上記複数の挿入制限部材７０ａと上記イオン電極５１,５２が上記筐体１０ａの軸方向に間隔をあけて配置されていることを特徴とする。
【００６６】
上記構成によれば、筐体１０ａの吹出口１２側に、筐体１０ａの軸に略直交する平面に沿うように互いに平行な複数の挿入制限部材７０ａを形成し、複数の挿入制限部材７０ａにより形成された開口部分からテストフィンガーが挿入されてもテストフィンガーとイオン電極５１,５２との間の絶縁距離が保たれるように、複数の挿入制限部材７０ａとイオン電極５１,５２を筐体１０ａの軸方向に間隔をあけて配置することによって、テストフィンガーが全く入らない吹出グリルの構造に比べて吹出口１２の開口率を大きくすることが可能になり、吹出口１２側の圧力損失を低減することができ、送風効率を向上できる。
【００６７】
また、一実施形態のヘアケア装置では、
上記筐体１０ａ内かつ上記吹出口１２近傍の内周面に溝５５,５６が設けられ、
上記溝５５,５６内に上記イオン電極５１,５２が配置されている。
【００６８】
上記実施形態によれば、筐体１０ａ内かつ吹出口１２近傍の内周面に設けられた溝５５,５６内にイオン電極５１,５２を配置することによって、熱風がイオン電極５１,５２の全部に直接当たらないかまたは一部を除いて直接当たらないので、イオン電極５１,５２が熱影響を受けにくくなって信頼性が向上する。
【００６９】
また、一実施形態のヘアケア装置では、
上記イオン電極は、プラスイオンを発生する第１のイオン電極５１と、マイナスイオンを発生する第２のイオン電極５２であり、
上記溝は、上記筐体１０ａの軸方向に沿って設けられ、上記第１のイオン電極５１が配置された第１の溝５５と、上記筐体１０ａの軸方向に沿って上記第１の溝５５と離間するように設けられ、上記第２のイオン電極５２が配置された第２の溝５６である。
【００７０】
上記実施形態によれば、筐体１０ａの軸方向に沿って設けられた第１の溝５５に、プラスイオンを発生する第１のイオン電極５１を配置し、筐体１０ａの軸方向に沿って第１の溝５５と離間するように設けられた第２の溝５６に、マイナスイオンを発生する第２のイオン電極５２を配置することによって、第１のイオン電極５１で発生したプラスイオンと第２のイオン電極５２で発生したマイナスイオンが第１の溝５５と第２の溝５６を別々に流れて、吹出口１２から吹き出すので、筐体１０ａ内でプラスイオンとマイナスイオンが結合して中和されるのを防いで、吹出空気中のプラスイオンとマイナスイオンのイオン量の低下を抑えることができる。
【００７１】
また、一実施形態のヘアケア装置では、
上記溝５５,５６は、上流側から下流側に向かって底部が徐々に浅くなっている。
【００７２】
上記実施形態によれば、筐体１０ａ内かつ吹出口１２近傍の内周面に設けられた溝５５,５６の底部が、上流側から下流側に向かって徐々に浅くなっているので、溝５５,５６に沿って流れた後、スムーズに吹出口１２から空気流と共に吹き出すことができる。したがって、イオンを含む空気流の到達距離が伸びて、性能が向上する。
【００７３】
また、一実施形態のヘアケア装置では、
上記イオン電極５１,５２を有するイオン発生ユニット５０を備え、
上記筐体は、上記吸込口１１と上記吹出口１２を有する筒状の本体部１０ａと、上記本体部１０ａの上記吹出口１２近傍から上記吸込口１１側に向かって畝状に膨らむように設けられ、上記イオン発生ユニット５０が収容されたイオン発生ユニット収容部１０ｂを有し、
上記本体部１０ａは、上記イオン発生ユニット収容部１０ｂ側から上記吸込口１１側に向かって徐々に拡径になるように形成され、
上記筐体の上記イオン発生ユニット収容部１０ｂの上記吸込口１１側の近傍にくびれ部分が形成されている。
【００７４】
上記実施形態によれば、筒状の本体部１０ａの吹出口１２近傍から吸込口１１側に向かって畝状に膨らむように、イオン発生ユニット５０が収容されたイオン発生ユニット収容部１０ｂを形成することによって、本体部１０ａ内の気流がイオン発生ユニット５０によって乱れることなくスムーズに流れて吹出口１２から吹き出すので、イオン発生ユニット５０による圧力損失の増大を抑制できる。さらに、イオン発生ユニット収容部１０ｂ側から吹出口１２側に向かって徐々に拡径するように本体部１０ａを形成して、筐体のイオン発生ユニット収容部１０ｂの吸込口１１側の近傍にくびれ部分を形成することによって、例えばハンドルを設けたヘアケア装置であっても、ハンドルを握ることなく筐体のくびれ部分を手のひらのほぼ全体で確実に掴んでヘアケア装置本体を操作できると共に、くびれ部分を手になじみやすい形状にすることで操作性が向上する。
【００７５】
また、この発明のヘアケア装置は、
吸込口１１と吹出口１２を有する筒状の筐体１０ａと、
上記筐体１０ａ内に配置された送風ファン２０と、
上記筐体１０ａ内かつ上記送風ファン２０の下流側に配置され、イオンを発生するためのイオン電極５１,５２と、
上記筐体１０ａの上記吹出口１２側に、上記筐体１０ａの軸に略直交する平面に沿うように形成された互いに平行な複数の挿入制限部材７０ａと
を備え、
上記複数の挿入制限部材７０ａと上記イオン電極５１,５２が上記筐体１０ａの軸方向に間隔をあけて配置されていると共に、
上記筐体１０ａ内かつ上記吹出口１２近傍の内周面に溝５５,５６が設けられ、
上記溝５５,５６内に上記イオン電極５１,５２が配置されており、
上記イオン電極は、プラスイオンを発生する第１のイオン電極５１と、マイナスイオンを発生する第２のイオン電極５２であり、
上記溝は、上記筐体１０ａの軸方向に沿って設けられ、上記第１のイオン電極５１が配置された第１の溝５５と、上記筐体１０ａの軸方向に沿って上記第１の溝５５と離間するように設けられ、上記第２のイオン電極５２が配置された第２の溝５６であることを特徴とする。
【００７６】
上記構成によれば、筐体１０ａの吹出口１２側に、筐体１０ａの軸に略直交する平面に沿うように互いに平行な複数の挿入制限部材７０ａを形成し、複数の挿入制限部材７０ａとイオン電極５１,５２を筐体１０ａの軸方向に間隔をあけて配置することによって、複数の挿入制限部材７０ａにより形成された開口部分から指先が挿入されてもその指先とイオン電極５１,５２との間の絶縁距離が保たれるように上記間隔を設定することで、吹出口１２の開口率を大きくすることが可能になり、吹出口１２側の圧力損失を低減することができ、送風効率を向上できる。
【００７７】
また、筐体１０ａ内かつ吹出口１２近傍の内周面に設けられた溝５５,５６内にイオン電極５１,５２を配置することによって、熱風がイオン電極５１,５２の全部に直接当たらないかまたは一部を除いて直接当たらないので、イオン電極５１,５２が熱影響を受けにくくなって信頼性が向上する。
【００７８】
さらに、筐体１０ａの軸方向に沿って設けられた第１の溝５５に、プラスイオンを発生する第１のイオン電極５１を配置し、筐体１０ａの軸方向に沿って第１の溝５５と離間するように設けられた第２の溝５６に、マイナスイオンを発生する第２のイオン電極５２を配置することによって、第１のイオン電極５１で発生したプラスイオンと第２のイオン電極５２で発生したマイナスイオンが第１の溝５５と第２の溝５６を別々に流れて、吹出口１２から吹き出すので、筐体１０ａ内でプラスイオンとマイナスイオンが結合して中和されるのを防いで、吹出空気中のプラスイオンとマイナスイオンのイオン量の低下を抑えることができる。
【００７９】
また、この発明のヘアケア装置は、
吸込口１１と吹出口１２を有する筒状の筐体１０ａと、
上記筐体１０ａ内に配置された送風ファン２０と、
上記筐体１０ａ内かつ上記送風ファン２０の下流側に配置され、イオンを発生するためのイオン電極５１,５２と、
上記筐体１０ａの上記吹出口１２側に、上記筐体１０ａの軸に略直交する平面に沿うように形成された互いに平行な複数の挿入制限部材７０ａと
を備え、
上記複数の挿入制限部材７０ａと上記イオン電極５１,５２が上記筐体１０ａの軸方向に間隔をあけて配置されていると共に、
上記筐体１０ａ内かつ上記吹出口１２近傍の内周面に溝５５,５６が設けられ、
上記溝５５,５６内に上記イオン電極５１,５２が配置されており、
上記溝５５,５６は、上流側から下流側に向かって底部が徐々に浅くなっていることを特徴とする。
【００８０】
上記構成によれば、筐体１０ａの吹出口１２側に、筐体１０ａの軸に略直交する平面に沿うように互いに平行な複数の挿入制限部材７０ａを形成し、複数の挿入制限部材７０ａとイオン電極５１,５２を筐体１０ａの軸方向に間隔をあけて配置することによって、複数の挿入制限部材７０ａにより形成された開口部分から指先が挿入されてもその指先とイオン電極５１,５２との間の絶縁距離が保たれるように上記間隔を設定することで、吹出口１２の開口率を大きくすることが可能になり、吹出口１２側の圧力損失を低減することができ、送風効率を向上できる。
【００８１】
また、筐体１０ａ内かつ吹出口１２近傍の内周面に設けられた溝５５,５６内にイオン電極５１,５２を配置することによって、熱風がイオン電極５１,５２の全部に直接当たらないかまたは一部を除いて直接当たらないので、イオン電極５１,５２が熱影響を受けにくくなって信頼性が向上する。
【００８２】
さらに、筐体１０ａ内かつ吹出口１２近傍の内周面に設けられた溝５５,５６の底部が、上流側から下流側に向かって徐々に浅くなっているので、溝５５,５６に沿って流れた後、スムーズに吹出口１２から空気流と共に吹き出すことができる。したがって、イオンを含む空気流の到達距離が伸びて、性能が向上する。
【符号の説明】
【００８３】
１０…ケーシング
１０ａ…本体部
１０ｂ…イオン発生ユニット収容部
１０ｃ…ハンドル
１１…吸込口
１２…吹出口
１６…スイッチ
１７…スイッチ
１８…電源コード
２０…送風ファン
２１…ファンケース
２２…断熱スリーブ
３０…モータ
４０…ヒータユニット
４１…ヒータ
４２…ヒータ基板
５０…イオン発生ユニット
５１…第１のイオン電極
５２…第２のイオン電極
５５…第１の溝
５５ａ…底部
５６…第２の溝
６０…吸込グリル
７０…吹出グリル
７０ａ…板状の桟
７０ｂ…リング部
８０…ノズル
１００…整流板
【図１】
0006463037.tif 000002
【図２】
0006463037.tif 000003
【図３】
0006463037.tif 000004
【図４】
0006463037.tif 000005
【図５】
0006463037.tif 000006
【図６】
0006463037.tif 000007
【図７】
0006463037.tif 000008
【図８】
0006463037.tif 000009
【図９】
0006463037.tif 000010
【図１０】
0006463037.tif 000011
【図１１】
0006463037.tif 000012